(57)【要約】      （修正有）【課題】使用中の安全な接続を保証し、使用に安全性及び利便性があるフレキシブルフラットケーブル・アセンブリ及びバッテリー・パック接続アセンブリを提供する。【解決手段】フレキシブルフラットケーブル・アセンブリはフレキシブルフラットケーブル１１０及びアダプタ端子１２０を有し、フレキシブルフラットケーブルは絶縁シース１１８、絶縁シースによって包囲された導体ボティ、並びに導体ボディと一体となるように供され、導体ボディから連続的に延在する接続端部及び圧着部分を有して成る接続部分を有し、アダプタ端子は、端子ボディ及び端子ボディに配置され端子ボディから突出する１対の第１圧着用翼１２４を有し、圧着部分は端子ボディと接触し、圧着部分が多層構造を有する圧着領域を形成するために、第１圧着用翼が圧着部分を包囲する。【選択図】図１
0003226836.tif 000002
【実用新案登録請求の範囲】
【請求項１】
フレキシブルフラットケーブル・アセンブリであって、
フレキシブルフラットケーブル、及び
アダプタ端子
を有して成り、
フレキシブルフラットケーブルは、絶縁シース、絶縁シースにより包囲された導体ボディ、並びに導体ボディと一体となるように供され、導体ボディから連続的に延在する接続部分及び圧着部分を有して成る接続端部を有して成り、及び
アダプタ端子は、端子ボディ及び端子ボディに配置され、端子ボディから突出する１対の第１圧着用翼を有して成り、圧着部分は端子ボディと接触し、圧着部分が多層構造を有する圧着領域を形成するために、第１圧着用翼は圧着部分を包囲する又は圧着部分に対して当接する、フレキシブルフラットケーブル・アセンブリ。
【請求項２】
圧着部分が、プレート形状であり、導体ボディの長さ方向において半分に折り畳まれるようになっている、請求項１に記載のフレキシブルフラットケーブル・アセンブリ。
【請求項３】
圧着部分が、Ｕ字形状又はＶ字形状の断面を有する構造を押し付けることにより形成される、請求項１に記載のフレキシブルフラットケーブル・アセンブリ。
【請求項４】
圧着部分に第１開口が供され、端子ボディが溝形状となるように包囲され、溝形状の端子ボディには第２開口が供され、第１開口と第２開口とは一致しない方向に方向づけられる、請求項２に記載のフレキシブルフラットケーブル・アセンブリ。
【請求項５】
第１開口及び第２開口が互いに垂直となるように方向づけられる、請求項４に記載のフレキシブルフラットケーブル・アセンブリ。
【請求項６】
アダプタ端子には１対の第２圧着用翼がさらに供され、１対の第２圧着用翼が、端子ボディに配置され、端子ボディから突出し、及び接続部分に端子ボディを接続するために絶縁シースを包囲する、請求項１に記載のフレキシブルフラットケーブル・アセンブリ。
【請求項７】
端子ボディが収容溝を形成するように包囲され、１対の第１圧着用翼及び１対の第２圧着用翼が端子ボディに別々に配置され、接続部分及び圧着部分が収容溝に位置づけられ、圧着を介して、第１圧着用翼が圧着部分を包囲することができ、圧着によって第２圧着用翼が絶縁シースを包囲することができ、第１圧着用翼及び第２圧着用翼はアダプタ端子を接続端部及び絶縁シースに接続する、請求項１に記載のフレキシブルフラットケーブル・アセンブリ。
【請求項８】
複数のフレキシブルフラットケーブルが並んで接続されるように配置され、複数のフレキシブルフラットケーブルの各々の接続端部がアダプタ端子の一方と接続され、各々のアダプタ端子の収容溝には開口が供され、複数のフレキシブルフラットケーブルの配置方向が収容溝の開口方向と一致しないように配置される、請求項７に記載のフレキシブルフラットケーブル・アセンブリ。
【請求項９】
複数のフレキシブルフラットケーブルの配置方向が収容溝の開口方向に対し垂直となるように配置される、請求項８に記載のフレキシブルフラットケーブル・アセンブリ。
【請求項１０】
アダプタ端子がオス端子又はメス端子である、請求項１に記載のフレキシブルフラットケーブル・アセンブリ。
【請求項１１】
複数のフレキシブルフラットケーブルが並んで接続されるように配置され、該複数のフレキシブルフラットケーブルの各々の接続端部がアダプタ端子の一方と接続される、請求項１に記載のフレキシブルフラットケーブル・アセンブリ。
【請求項１２】
複数の接続端部の圧着部分間のギャップが複数の導体ボディ間のギャップより大きい、請求項１１に記載のフレキシブルフラットケーブル・アセンブリ。
【請求項１３】
圧着部分が導体ボディの厚みより大きい厚みを有する、請求項１に記載のフレキシブルフラットケーブル・アセンブリ。
【請求項１４】
圧着部分の個々の層が互いに接触するように配置される、請求項１に記載のフレキシブルフラットケーブル・アセンブリ。
【請求項１５】
圧着部分が圧着方向において多層構造を有する、請求項１に記載のフレキシブルフラットケーブル・アセンブリ。
【請求項１６】
バッテリー・パック接続アセンブリであって、
支持体、複数のバスバー及び請求項１から１５のいずれか一つに記載の複数のフレキシブルフラットケーブル・アセンブリを有して成り、
複数のバスバーがバッテリー・セルと接続するようになっており、複数のフレキシブルフラットケーブルが複数のバスバーに電気的に接続される、
バッテリー・パック接続アセンブリ。
【請求項１７】
複数のフレキシブルフラットケーブルが供され、複数のフレキシブルフラットケーブルの導体ボディがそれぞれ複数のバスバーに電気的に接続される、請求項１６に記載のバッテリー・パック接続アセンブリ。
【請求項１８】
接続ケーシングをさらに有して成り、接続ケーシングが支持体に固定して配置され、アダプタ端子が電気信号を出力するために接続ケーシング中へと挿入される、請求項１７に記載のバッテリー・パック接続アセンブリ。
【考案の詳細な説明】
【技術分野】
【０００１】
本出願はフレキシブルフラットケーブル・アセンブリ及びバッテリー・パック接続アセンブリに関する。
【背景技術】
【０００２】
新エネルギー車の急速な発展は、バッテリーの改良を連続的に促進する。新エネルギー車の需要がより高まるにつれて、バッテリー技術は新エネルギー車の発展に影響する重要な要素になっている。例えば、バッテリーのコスト、重量及び構造は、新エネルギー車のさらなる発展に全て影響する。各車バッテリーには、複数のバッテリー・パックが供される。これらのバッテリー・パックは相互接続される必要がある。２つのバッテリー・パックを接続するためにリジット・プリント回路基板を使用することは、コストが多くかかり、またバッテリー・パックの厚みを減少することができない。もしフレキシブル回路基板が使用される場合、バッテリーのコストはさらに増加する。
【考案の概要】
【０００３】
本出願の目的の１つは、先行技術での欠点を克服するための様々なバッテリー・パックの利便性のある接続を可能とする、フレキシブルフラットケーブル・アセンブリ及びバッテリー・パック接続アセンブリを供することである。
【０００４】
本出願の第１の態様によると、フレキシブルフラットケーブル・アセンブリが供されて、フレキシブルフラットケーブル、及びアダプタ端子（又はターミナル；terminal）を有して成り、
【０００５】
フレキシブルフラットケーブルは、絶縁シース（又は被膜；sheath）、絶縁シースにより包囲された導体（又はコンダクタ；conductor）ボディ、並びに接続端部を有して成り、当該接続端部は導体ボディと一体となるように供され、導体ボディから連続的に延在する接続部分及び圧着（又はクリンプ;crimping）部分を有して成り、及び
【０００６】
アダプタ端子は、端子ボディ及び端子ボディに配置され、端子ボディから突出する１対の第１圧着用翼を有して成り、
【０００７】
圧着部分は端子ボディと接触し、圧着部分が多層構造を有する圧着領域を形成するために、第１圧着用翼（又はクリンプ・ウイング；crimp wing）は圧着部分を包囲する又は圧着部分に対して当接する、フレキシブルフラットケーブル・アセンブリ。
【０００８】
本出願の一実施形態によると、圧着部分が、プレート形状であり、導体ボディの長さ方向において半分に折り畳まれるようになっている。
【０００９】
本出願の一実施形態によると、圧着部分がＵ字形状又はＶ字形状の断面を有する構造を押し付けることにより形成される。
【００１０】
本出願の一実施形態によると、圧着部分に第１開口が供され、端子ボディは溝形状となるように包囲され（又は封をされており；enclosed）、溝形状の端子ボディには第２開口が供され、第１開口及び第２開口とは一致しない（又は同一とならない、又は異なる；non-coincidently）方向に方向づけられる。
【００１１】
本出願の一実施形態によると、第１開口及び第２開口が互いに垂直となるように方向づけられる。
【００１２】
本出願の一実施形態によると、アダプタ端子には１対の第２圧着用翼がさらに供され、１対の第２圧着用翼が、端子ボディに配置され、端子ボディから突出し、及び接続部分に端子ボディを接続するために絶縁シースを包囲する。
【００１３】
本出願の一実施形態によると、端子ボディが収容溝を形成するために包囲され、１対の第１圧着用翼及び１対の第２圧着用翼が端子ボディに別々に配置され、接続部分及び圧着部分が収容溝に位置づけられ、圧着を介して、第１圧着用翼が圧着部分を包囲することができ、圧着によって第２圧着用翼が絶縁シースを包囲することができ、第１圧着用翼及び第２圧着用翼はアダプタ端子を接続端部及び絶縁シースに接続する。
【００１４】
本出願の一実施形態によると、複数のフレキシブルフラットケーブルが並んで接続されるように配置され、複数のフレキシブルフラットケーブルの各々の接続端部がアダプタ端子の一方と接続され、各々のアダプタ端子の収容溝には開口が供され、及び複数のフレキシブルフラットケーブルの配置方向が収容溝の開口方向と一致しない（non-coincident）ように配置される。
【００１５】
本出願の一実施形態によると、複数のフレキシブルフラットケーブルの配置方向が収容溝の開口方向に対して垂直となるように配置される。
【００１６】
本出願の一実施形態によると、アダプタ端子はオス端子又はメス端子である。
【００１７】
本出願の一実施形態によると、複数のフレキシブルフラットケーブルが並んで接続されるように配置され、複数のフレキシブルフラットケーブルの各々の接続端部がアダプタ端子の一方と接続される。
【００１８】
本出願の一実施形態によると、複数の接続端部の圧着部分間のギャップは複数の導体ボディ間のギャップより大きい。
【００１９】
本出願の一実施形態によると、圧着部分は導体ボディの厚みより大きい（又は厚い;larger）厚みを有する。
【００２０】
本出願の一実施形態によると、圧着部分の個々の層が互いに接触するように配置される。
【００２１】
本出願の一実施形態によると、圧着部分が圧着方向において多層構造を有する。
【００２２】
本出願の第２の態様によると、支持体（又は支持物；support）、複数のバスバー、及び複数の前記フレキシブルフラットケーブル・アセンブリを有して成るバッテリー・パック接続アセンブリが供され、当該複数のバスバーはバッテリー・セルと接続するようになっており、複数のフレキシブルフラットケーブルが複数のバスバーに電気的に接続される。
【００２３】
本出願の実施形態によると、複数のフレキシブルフラットケーブルが供され、複数のフレキシブルフラットケーブルの導体ボディがそれぞれ複数のバスバーに電気的に接続される。
【００２４】
本出願の実施形態によると、バッテリー・パック接続アセンブリは接続ケーシングをさらに有して成り、当該接続ケーシングは支持体に固定して配置され、アダプタ端子が電気信号を出力するために接続ケーシング中へと挿入される。
【００２５】
利用効率を増大するために、フレキシブルフラットケーブル中の導体は可能な限り薄く及び狭くなるべきである。しかしながら、接続端部及び導体は一体化して形成される際、薄く及び狭い接続端部は接続強度に必要な十分な保持力を供することができず、圧着過程中の圧着操作によって損傷する可能性があり、又は使用中のより強い保持力を供することができずに脱落する可能性がある。
【００２６】
本出願のフレキシブルフラットケーブル・アセンブリ及びバッテリー・パック接続アセンブリによると、圧着過程において発生する損傷が回避され、圧着後に、使用中の安全な接続及び安全で利便性のある操作を保証するように十分な保持力が供されることもできるように、アダプタ端子と圧着接続での圧着部分の厚みが増えることができるよう、圧着部分が半分に折り畳まれるようになっている。バッテリー・パックの厚み及び生産コストの両方を減らし、バッテリーの発展が新エネルギー車の使用要求を満たすようにさらに促進されるようにするために、本出願のフレキシブルフラットケーブル・アセンブリはリジッド回路基板及びフレキシブル回路基板の代わりに使用されることができる。
【図面の簡単な説明】
【００２７】
【図１】図１は、本出願によるフレキシブルフラットケーブル・アセンブリの構造概略図である。
【００２８】
【図２】図２は、本出願によるフレキシブルフラットケーブルの構造概略図である。
【００２９】
【図３】図３は、本出願によるアダプタ端子の構造概略図である。
【００３０】
【図４】図４は、本出願によるアダプタ端子と圧着部分との間の圧着接続前の状態を示す概略図である。
【００３１】
【図５】図５は、本出願によるアダプタ端子と圧着部分との間の圧着接続後の状態を示す概略図である。
【考案を実施するための形態】
【００３２】
図１、２及び３に示されるように、フレキシブルフラットケーブル・アセンブリ１００は、フレキシブルフラットケーブル１１０及びアダプタ端子１２０を有して成る。当該フレキシブルフラットケーブル１１０は絶縁シース１１８、導体ボディ１１１及び接続端部１１２を有して成る。絶縁シース１１８が導体ボディ１１１の周囲に包囲され、導体ボディ１１１の一部が絶縁シース１１８の外側に晒されている。導体ボディについては、実際の使用要求に応じて、例えばアルミニウム又は銅等の適切に湾曲した導体が選択されることができる。導体ボディ１１１は全体がフレキシブルであり、適用する場所の空間に適応するために湾曲されることに適している。接続端部１１２は、接続部分１１３及び圧着部分１１４を有して成る。接続部分１１３は圧着部分１１４と一体となっている。導体ボディ１１１、接続部分１１３及び圧着部分１１４は連続的に接続されている。本出願の技術的解決策によると、接続端部１１２は導体ボディ１１１と一体となるようになっている。接続端部１１２は帯状又はプレート形状の導体を屈曲し打ち抜くことにより形成される。接続端部１１２及び導体ボディ１１１が一体となって導体を形成する。圧着前に、導体の端部と導体ボディ１１１は両者とも板形状又は帯形状であり、導体の端部からの長さは屈曲過程で処理されるように選ばれる。導体の端部が屈曲された後、圧着部分１１４はＵ字形又はＶ字形の断面を有し、第１開口１１５が供される。圧着部分１１４は押し付けられ、次いで２層構造へ変形され、即ち、半分に折り畳まれることにより形成される二層構造となる。打ち抜き後、二層圧着部分１１４の上層と下層は互いに接触する。圧着部分１１４は、導体ボディ１１１と同じ構造を屈曲し打ち抜くことにより形成される二層構造であるため、圧着部分１１４は導体ボディ１１１の厚みより大きい厚みを有する。
【００３３】
接続部分１１３は構造や形状に特別な制限はなく、プレート形状であることができ、又は圧着部分１１４の形状のようになることができる。例えば、圧着部分１１４がＵ字形状又はＶ字形状の断面を有する際、接続部分１１３のエッジ（又は端、又は縁；edge）は、中央に向かって徐々に縮み、導体ボディ１１１のプレート形状へと滑らかに移行する。接続部分１１３は直接的にプレート形状となるようにもできる。接続部分１１３は端子ボディ１１１の内部の導体に電気的に接続される。
【００３４】
アダプタ端子１２０は、端子ボディ１２１、１対の第１圧着用翼１２４、及び１対の第２圧着用翼１２５を有して成る。アダプタ端子１２０は金属片を打ち抜き及び屈曲することにより形成される。端子ボディ１２１の全体構造は使用要件によって決定されることができ、オス端子又はメス端子のいずれかであり得る。図示された例では、アダプタ端子１２０はメス端子である。端子ボディ１２１には端子ボディのセグメントによって包囲された収容溝１２３が供される。収容溝１２３には第２開口１２７が供される。収容溝１２３は圧着部分１１４及び絶縁シース１１８の一部を収容するようになっている。１対の第１圧着用翼１２４は端子ボディ１２１に配置される。第１圧着用翼１２４は端子ボディ１２１に接続され、端子ボディ１２１から突出する。１対の第１圧着用翼１２４は対向して配置される。第２圧着用翼１２５は端子ボディ１２１に接続され、端子ボディ１２１から突出する。１対の第２圧着用翼１２５は対向して配置される。
【００３５】
アダプタ端子１２０は接続端部１１２及び絶縁シース１１８と圧着接続する。具体的には、図４で示すように、圧着部分１１４は収容溝１２３中に位置づけられ、第１開口１１５及び第２開口１２７は一致しないように方向づけられており、好ましくは互いに垂直となる。例えば、第２開口１２７は上方向に向けられて配置され、一方で第１開口１１５は左方向又は右方向に向けられて配置される。圧着部分１１４は１対の第１圧着用翼１２４との間に位置づけられる。図５で示すように、１対の第１圧着用翼１２４は、両方向で圧着部分１１４を包囲するために、又は１対の第１圧着用翼の端部で圧着部分１２４の表面に対し当接するために、圧着部分１１４に向かって押し付けられ、変形される。１対の第１圧着用翼１２４は、圧着領域を形成するために押し付けられ変形される。この圧着領域において、Ｕ字形状の断面図を有する圧着部分１１４は、２層構造を形成するように押し付けられた後に折り畳まれる。図示された例では、圧着方向は上下方向であり、圧着部分１１４は上下方向において多層状であり、図面において、互いに接触する２層構造のように示されている。１対の第１圧着用翼１２４は、端子ボディ１２１に圧着部分１１４を接続させる。図示された好ましい例では、１対の第１圧着用翼１２４が押し付けられ、変形された後、圧着部分１１４が僅かに変形して当接力を強化するために、第１圧着用翼１２４の端部は圧着部分１１４の表面に対して当接する。
【００３６】
絶縁シース１１８の一部は１対の第２圧着用翼１２５間に位置づけられ、１対の第２圧着用翼１２５は、両方で絶縁シース１１８を包囲するために、絶縁シース１１８に向かって押し付けられ変形される。１対の第２圧着用翼１２５は端子ボディ１２１に絶縁シース１１８を接続させる。図示された好ましい例では、１対の第２圧着用翼１２５は絶縁シース１１８を包囲するために押し付けられ変形される。
【００３７】
１つ以上のフレキシブルフラットケーブル・アセンブリ１００、支持体及びバスバーは、新エネルギー車のバッテリーに使用されるバッテリー・パック接続アセンブリを構成する。複数のフレキシブルフラットケーブル・アセンブリ１００の絶縁シース１１８は、並んで（又は並列に；side by side）配置され、互いに結合される。バスバーは支持体に配置され、バッテリー・セルに電気的に接続される。フレキシブルフラットケーブル・アセンブリ１００の導体ボディ１１８はバスバーに電気的に接続される。
【００３８】
利用効率を増大するために、フレキシブルフラットケーブル中の導体は可能な限り薄く及び狭くなるべきである。しかしながら、接続端部及び導体ボディは一体化して形成される際、薄く及び狭い接続端部は接続強度に必要な十分な保持力を供することができず、圧着過程中の圧着操作によって損傷する可能性があり、又は使用中のより強い保持力を供することができずによって脱落する可能性がある。
【００３９】
本出願のフレキシブルフラットケーブル・アセンブリ及びバッテリー・パック接続アセンブリによると、圧着過程において発生する損傷が回避され、圧着後に、使用中の安全な接続及び安全で利便性のある操作を保証するように十分な保持力が供されることもできるように、アダプタ端子と圧着接続での圧着部分の厚みが増えることができるよう、圧着部分が半分に折り畳まれるようになっている。バッテリー・パックの厚み及び生産コストの両方を減らし、バッテリーの発展が新エネルギー車の使用要求を満たすようにさらに促進されるようにするために、本出願のフレキシブルフラットケーブル・アセンブリはリジッド回路基板及びフレキシブル回路基板の代わりに使用されることができる。
【００４０】
上記は本出願の好ましい実施形態にすぎず、本出願の保護範囲を制限することを意図しておらず、本出願の精神内での任意の補正、同等の置換品又は改良は本出願の特許請求の範囲内に含まれる。
【図１】
0003226836.tif 000003
【図２】
0003226836.tif 000004
【図３】
0003226836.tif 000005
【図４】
0003226836.tif 000006
【図５】
0003226836.tif 000007